(57)【特許請求の範囲】
【請求項１】
商品の販売を行う店舗が管理する店舗サーバと、商品が製造された製造工場を特定可能な工場識別情報を管理する工場識別情報管理サーバとを含む工場識別情報管理システムであって、
前記店舗サーバは、
前記店舗にて取引のある製造工場を管理するための取引工場管理データであって、各製造工場についてマスタ登録工場識別情報とインストア工場識別情報とが対応付けされた当該取引工場管理データが登録された取引工場管理データテーブルと、
入荷した商品に付与されている製品管理コードを取得する製品管理コード取得手段と、
該製品管理コード取得手段が取得した製品管理コードを通信ネットワークを介して前記工場識別情報管理サーバに送信する製品管理コード送信手段と、
前記取引工場管理データテーブルを参照して、受信したマスタ登録工場識別情報に対応付けされているインストア工場識別情報を特定するインストア工場識別情報特定手段と、
特定されたインストア工場識別情報に対応付けした前記入荷した商品に係る入荷情報を管理する入荷情報管理手段とを有し、
前記工場識別情報管理サーバは、
製品管理コードと各店舗にてそれぞれ付与されているそれぞれのマスタ登録工場識別情報とが対応付けされたマスタ登録工場識別情報対応データが登録されたマスタ登録工場識別情報対応データテーブルと、
製品管理コードと該製品管理コードが付与された商品あるいは当該商品の種類を特定可能な商品コードとが対応付けされた製品管理コード対応データが登録された製品管理コード対応データ設定テーブルと、
前記マスタ登録工場識別情報対応データテーブル及び前記製品管理コード対応データ設定テーブルを参照して、受信した製品管理コードに対応付けされている前記店舗のマスタ登録工場識別情報を検索するマスタ登録工場識別情報検索手段と、
検索されたマスタ登録工場識別情報を通信ネットワークを介して前記店舗サーバに送信するマスタ登録工場識別情報送信手段とを有する
ことを特徴とする工場識別情報管理システム。
【請求項２】
インストア工場識別情報は、店舗内で用いられるインストアコード若しくはＪＡＮコードであり、マスタ登録工場識別情報は、工場識別情報管理サーバ側に登録されているマスタコードである
請求項１記載の工場識別情報管理システム。
【請求項３】
製品管理コードは、工場識別情報管理サーバにより商品別に当該商品の製造日あるいは製造ロット毎に一意に定められたコードであり、該当する商品を製造する製造工場において商品に付与されるコードである
請求項１または請求項２記載の工場識別情報管理システム。
【請求項４】
工場識別情報管理サーバは、
製品管理コードを発行する製品管理コード発行手段と、
発行した製品管理コードと、該製品管理コードが付与された商品を示す商品コードと製造日あるいは製造ロットを対応付けして登録するコード登録手段とを有する
請求項１から請求項３のうちいずれかに記載の工場識別情報管理システム。
【請求項５】
製品管理コードは、工場識別情報および商品の製造日とともに商品に付与される
請求項１から請求項４のうちいずれかに記載の工場識別情報管理システム。
【請求項６】
商品の販売を行う店舗が管理する店舗サーバは、
前記店舗にて取引のある製造工場を管理するための取引工場管理データであって、各製造工場についてマスタ登録工場識別情報とインストア工場識別情報とが対応付けされた当該取引工場管理データが登録された取引工場管理データテーブルを備え、
入荷した商品に付与されている製品管理コードを取得する製品管理コード取得ステップと、
取得した製品管理コードを通信ネットワークを介して送信する製品管理コード送信ステップと、
前記取引工場管理データテーブルを参照して、受信したマスタ登録工場識別情報に対応付けされているインストア工場識別情報を特定するインストア工場識別情報特定ステップと、
特定されたインストア工場識別情報に対応付けした前記入荷した商品に係る入荷情報を管理する入荷情報管理ステップとを実行し、
商品が製造された製造工場を特定可能な工場識別情報を管理する工場識別情報管理サーバは、
製品管理コードと各店舗にてそれぞれ付与されているそれぞれのマスタ登録工場識別情報とが対応付けされたマスタ登録工場識別情報対応データが登録されたマスタ登録工場識別情報対応データテーブルと、
製品管理コードと該製品管理コードが付与された商品あるいは当該商品の種類を特定可能な商品コードとが対応付けされた製品管理コード対応データが登録された製品管理コード対応データ設定テーブルとを備え、
前記マスタ登録工場識別情報対応データテーブル及び前記製品管理コード対応データ設定テーブルを参照して、受信した製品管理コードに対応付けされている前記店舗のマスタ登録工場識別情報を検索するマスタ登録工場識別情報検索ステップと、
検索されたマスタ登録工場識別情報を通信ネットワークを介して前記店舗サーバに送信するマスタ登録工場識別情報送信ステップとを実行する
ことを特徴とする工場識別情報管理方法。
【請求項７】
インストア工場識別情報は、店舗内で用いられるインストアコード若しくはＪＡＮコードであり、マスタ登録工場識別情報は、工場識別情報管理サーバ側に登録されているマスタコードである
請求項６記載の工場識別情報管理方法。
【請求項８】
製品管理コードは、工場識別情報管理サーバにより商品別に当該商品の製造日あるいは製造ロット毎に一意に定められたコードであり、該当する商品を製造する製造工場において商品に付与されるコードである
請求項６または請求項７記載の工場識別情報管理方法。
【請求項９】
工場識別情報管理サーバは、
製品管理コードを発行する製品管理コード発行ステップと、
発行した製品管理コードと、該製品管理コードが付与された商品を示す商品コードと製造日あるいは製造ロットを対応付けして登録するコード登録ステップとを実行する
請求項６から請求項８のうちいずれかに記載の工場識別情報管理方法。
【請求項１０】
製品管理コードは、工場識別情報および商品の製造日とともに商品に付与される
請求項６から請求項９のうちいずれかに記載の工場識別情報管理方法。
【請求項１１】
インストア工場識別情報は、消費者が消費者端末を用いて検索可能である
請求項６から請求項１０のうちいずれかに記載の工場識別情報管理方法。
【発明の詳細な説明】
【技術分野】
【０００１】
本発明は、商品の販売を行う店舗が管理する店舗サーバと、商品が製造された製造工場を特定可能な工場識別情報を管理する工場識別情報管理サーバとを含む工場識別情報管理システム、及び工場識別情報管理方法に関する。
【背景技術】
【０００２】
近年、特定の野菜や食肉を購入した消費者等に対して、その野菜や食肉の生産・流通履歴をインターネットなどの通信ネットワークを介して提供するトレーサビリティシステムが利用されるようになってきている。
【０００３】
トレーサビリティシステムでは、野菜や食肉などの商品やその商品の包装に貼付あるいは印字されたコード（トレーサビリティコード）を検索キーとすることで、その商品の生産・流通履歴を検索し閲覧することが可能となる（例えば、特許文献１参照）。
【０００４】
【特許文献１】特開２００５−３１８７５号公報
【発明の開示】
【発明が解決しようとする課題】
【０００５】
上述した特許文献１に記載された従来のトレーサビリティシステムのように、商品の生産・流通履歴の提供を受けるものはあるが、飲料ＰＥＴボトルや缶詰などに付されている製造所固有記号（商品の製造工場を特定するためのコード）から的確に製造工場を特定することはできないという問題があった。
【０００６】
すなわち、製造所固有記号は、同一の下請け工場であっても、発注元の管理マスタにおいては別個に定められており、このような関連性のない別個のコードを的確に管理することはできなかった。
【０００７】
本発明は、上述した問題を解消し、商品に付与された製造工場特定用のコードの関連性を的確に把握することができ、製造工場を容易かつ正確に特定することができるようにすることを目的とする。
【課題を解決するための手段】
【０００８】
本発明の工場識別情報管理システムは、商品の販売を行う店舗が管理する店舗サーバと、商品が製造された製造工場を特定可能な工場識別情報を管理する工場識別情報管理サーバとを含む工場識別情報管理システムであって、前記店舗サーバは、前記店舗にて取引のある製造工場を管理するための取引工場管理データであって、各製造工場についてマスタ登録工場識別情報とインストア工場識別情報とが対応付けされた当該取引工場管理データが登録された取引工場管理データテーブルと、入荷した商品に付与されている製品管理コードを取得する製品管理コード取得手段と、該製品管理コード取得手段が取得した製品管理コードを通信ネットワークを介して前記工場識別情報管理サーバに送信する製品管理コード送信手段と、前記取引工場管理データテーブルを参照して、受信したマスタ登録工場識別情報に対応付けされているインストア工場識別情報を特定するインストア工場識別情報特定手段と、特定されたインストア工場識別情報に対応付けした前記入荷した商品に係る入荷情報を管理する入荷情報管理手段とを有し、前記工場識別情報管理サーバは、製品管理コードと各店舗にてそれぞれ付与されているそれぞれのマスタ登録工場識別情報とが対応付けされたマスタ登録工場識別情報対応データが登録されたマスタ登録工場識別情報対応データテーブルと、製品管理コードと該製品管理コードが付与された商品あるいは当該商品の種類を特定可能な商品コードとが対応付けされた製品管理コード対応データが登録された製品管理コード対応データ設定テーブルと、前記マスタ登録工場識別情報対応データテーブル及び前記製品管理コード対応データ設定テーブルを参照して、受信した製品管理コードに対応付けされている前記店舗のマスタ登録工場識別情報を検索するマスタ登録工場識別情報検索手段と、検索されたマスタ登録工場識別情報を通信ネットワークを介して前記店舗サーバに送信するマスタ登録工場識別情報送信手段とを有することを特徴とする。
【０００９】
上記のように構成したことで、商品に付与された製造工場特定用のコードの関連性を的確に把握することができ、製造工場を容易かつ正確に特定することができるようになる。
【００１０】
インストア工場識別情報は、例えば、店舗内で用いられるインストアコード若しくはＪＡＮコードであり、マスタ登録工場識別情報は、工場識別情報管理サーバ側に登録されているマスタコードである。
【００１１】
製品管理コードは、例えば、工場識別情報管理サーバにより商品別に当該商品の製造日あるいは製造ロット毎に一意に定められたコードであり、該当する商品を製造する製造工場において商品に付与されるコードである。
【００１２】
工場識別情報管理サーバは、製品管理コードを発行する製品管理コード発行手段と、発行した製品管理コードと、該製品管理コードが付与された商品を示す商品コードと製造日あるいは製造ロットを対応付けして登録するコード登録手段とを有することを特徴とする。
【００１３】
製品管理コードが、工場識別情報および商品の製造日とともに商品に付与される構成とされていてもよい。
【００１４】
また、本発明の工場識別情報管理方法は、商品の販売を行う店舗が管理する店舗サーバは、前記店舗にて取引のある製造工場を管理するための取引工場管理データであって、各製造工場についてマスタ登録工場識別情報とインストア工場識別情報とが対応付けされた当該取引工場管理データが登録された取引工場管理データテーブルを備え、入荷した商品に付与されている製品管理コードを取得する製品管理コード取得ステップと、取得した製品管理コードを通信ネットワークを介して送信する製品管理コード送信ステップと、前記取引工場管理データテーブルを参照して、受信したマスタ登録工場識別情報に対応付けされているインストア工場識別情報を特定するインストア工場識別情報特定ステップと、特定されたインストア工場識別情報に対応付けした前記入荷した商品に係る入荷情報を管理する入荷情報管理ステップとを実行し、商品が製造された製造工場を特定可能な工場識別情報を管理する工場識別情報管理サーバは、製品管理コードと各店舗にてそれぞれ付与されているそれぞれのマスタ登録工場識別情報とが対応付けされたマスタ登録工場識別情報対応データが登録されたマスタ登録工場識別情報対応データテーブルと、製品管理コードと該製品管理コードが付与された商品あるいは当該商品の種類を特定可能な商品コードとが対応付けされた製品管理コード対応データが登録された製品管理コード対応データ設定テーブルとを備え、前記マスタ登録工場識別情報対応データテーブル及び前記製品管理コード対応データ設定テーブルを参照して、受信した製品管理コードに対応付けされている前記店舗のマスタ登録工場識別情報を検索するマスタ登録工場識別情報検索ステップと、検索されたマスタ登録工場識別情報を通信ネットワークを介して前記店舗サーバに送信するマスタ登録工場識別情報送信ステップとを実行することを特徴とする。
【発明の効果】
【００１５】
本発明によれば、商品に付与された製造工場特定用のコードの関連性を的確に把握することができ、小売あるいは消費者からも、製造工場を容易かつ正確に特定することができるようになる。
【発明を実施するための最良の形態】
【００１６】
以下、本発明の一実施の形態について図面を参照して説明する。
図１は、本発明の一実施の形態に係る工場識別情報管理システム１００の構成の例を示すブロック図である。図１に示すように、工場識別情報管理システム１００は、工場識別情報管理サーバ１０と、店舗サーバ２０と、コードリーダ（若しくは文字コード入力端末、以下同じ。）３０と、商品製造工場サーバ６０とを含む。
【００１７】
工場識別情報管理サーバ１０、店舗サーバ２０、および商品製造工場サーバ６０は、それぞれ、例えばインターネットなどの通信ネットワーク５０に接続されている。店舗サーバ２０、およびコードリーダ３０は、それぞれ、例えば店舗Ａ内に配されている例えばＬＡＮなどの通信ネットワーク４０に接続されている。
【００１８】
なお、図１では、店舗Ａ内に設置された店舗サーバ２０およびコードリーダ３０が示されているが、他の店舗に設置された店舗サーバが工場識別情報管理システム１００に含まれていてもよい。また、図１では、１つの商品製造工場サーバ６０のみが示されているが、複数設けられていてもよい。
【００１９】
工場識別情報管理サーバ１０、店舗サーバ２０、および商品製造工場サーバ６０は、それぞれ、ＷＷＷサーバなどの情報処理装置によって構成される。
【００２０】
工場識別情報管理サーバ１０は、例えば工場識別情報管理システム１００のシステム管理者によって管理されるサーバであり、商品の製造工場を識別するための工場識別情報や、製造工場において商品に付与された製品管理コードなどの各種の情報が格納される管理サーバＤＢ１１を備えている。なお、管理サーバＤＢ１１は、工場識別情報管理サーバ１０の内部にあっても外部にあってもよい。
【００２１】
「工場識別情報（工場識別コード）」は、一般に「製造所固有記号」と呼ばれる製造工場を示す識別情報であり、例えば文字や記号などによる文字列によって構成される。この「工場識別情報」は、任意に定められるため、異なる商品あるいは異なる工場において同一のコードが重複して使用される場合がある。
【００２２】
工場識別情報管理サーバ１０は、商品製造工場サーバ６０からの付与対象商品名を提示した発行依頼に応じて、工場識別情報管理サーバ１０により商品別にその商品の製造日あるいは製造ロット毎に一意に特定することが可能な製品管理コードを発行して通信ネットワーク５０を介して商品製造工場サーバ６０に提供する機能などの各種の機能を有する。
【００２３】
「製品管理コード」は、本例では一意で認識可能なコードによって構成される。
【００２４】
店舗サーバ２０は、例えば店舗Ａを管理する店舗管理者によって管理され、通信ネットワーク４０を介してコードリーダ３０と情報のやりとりを行う。コードリーダ３０は、例えば店舗Ａの店員などの作業員によって操作され、店舗Ａに入荷した商品を特定するために商品に付与されている商品コード（例えばＪＡＮコード）や工場識別情報を読み取り、読み取ったこれらの情報を店舗サーバ２０に送信する機能などの各種の機能を有する。
【００２５】
商品製造工場サーバ６０は、所定の商品の製造工場を管理する工場管理者によって管理されるサーバであり、工場識別情報管理サーバ１０によって発行された製品管理コードを工場識別番号及び製造日とともに商品あるいは商品の包装に付与するコード付与機能などの各種の機能を有する。なお、製品管理コードは、例えば工場識別番号及び製造日の前あるいは後などの所定の位置に付与される。
【００２６】
なお、商品製造工場での製造対象の商品としては、各コードが印字、刻印、貼付などによって付与され得るＰＥＴボトル飲料や缶詰などの包装容器に収納される商品や、各コードが印字、刻印、貼付などによって直接付与され得る商品などが考えられる。
【００２７】
図２は、店舗Ａにおいて管理される取引工場管理データが登録された取引工場管理データテーブルの例を示す説明図である。図２に示すように、取引工場管理データは、店舗Ａにて取引のある工場を管理するためのデータであって、マスタ登録工場識別情報と、インストア工場識別情報と、取引先の工場のカテゴリを示すＰＯＳカテゴリと、工場の名称を示す工場名と、工場の所在地とを含む。
【００２８】
「マスタ登録工場識別情報（マスタ登録工場識別コード）」は、工場識別情報管理サーバ１０側にマスタ登録されている工場識別情報であり、該当する店舗において所定の商品製造工場に対応付けて初期設定された工場識別情報を意味する。この「マスタ登録工場識別情報」のコード形式は、どのようなものであってもよく、店舗独自の形式を含むものであってもよい。
【００２９】
「インストア工場識別情報（インストア工場識別コード）」は、該当する店舗内において所定の商品製造工場に対応付けて現在使用されている工場識別情報であり、その商品に対して初期設定されたマスタ登録工場識別情報に対応付けされ、各店舗にて適宜変更可能な工場識別情報とされる。なお、ある商品製造工場についてマスタ登録工場識別情報の設定以降にコードの変更がなされていない場合には、その商品製造工場については「マスタ登録工場識別情報」と「インストア工場識別情報」とが同じコード内容となる。この「インストア工場識別情報」のコード形式は、ＪＡＮコードと呼ばれる国際標準コードの形式などどのようなものであってもよく、店舗独自の形式を含むものであってもよい。
【００３０】
工場カテゴリは、登録されている工場が自社工場であるか、他のどの会社の工場であるかを分類するための情報であり、例えば「自社工場」、「Ｘ社工場」、「Ｙ社工場」などのように設定される。また、「工場名」としては、該当する工場に付けられている名称が設定される。そして、「所在地」には、該当する工場の所在地が設定される。
【００３１】
取引工場管理データは、店舗サーバ２０が備える店舗サーバＤＢ２１に格納されている。また、ＰＯＳデータは、各店舗に採用されているＰＯＳシステムによって、同じ商品であっても異なるＰＯＳコードや異なる商品名が設定される場合がある。
【００３２】
図３は、マスタ登録工場識別情報対応データが登録されたマスタ登録工場識別情報対応データテーブルの例を示す説明図である。マスタ登録工場識別情報対応データテーブルは、本システム１００に含まれる各店舗サーバの管理データ（店舗サーバ２０の管理データについて図２参照）に設定されているそれぞれのマスタ登録工場識別情報と、商品製造工場にて付与され得る工場識別情報と、商品コードとの対応関係を示す情報であり、管理サーバＤＢ１１に格納されている。
【００３３】
マスタ登録工場識別情報対応データは、各製造工場において商品あるいは商品の包装に付与される工場識別情報と、その製造工場に店舗Ａにおいて付与されているマスタ登録工場識別情報（店舗Ａマスタ登録工場識別情報）と、その製造工場に店舗Ｂにおいて付与されているマスタ登録工場識別情報（店舗Ｂマスタ登録工場識別情報）と、その製造工場に店舗Ｃにおいて付与されているマスタ登録工場識別情報（店舗Ｃマスタ登録工場識別情報）と、対応する工場識別情報の付与対象とされる商品の商品名と、その商品を示す商品コードと、その商品の製造日とを含む。ここでは、店舗Ａ〜Ｃそれぞれの店舗サーバが通信ネットワーク５０に接続されて店舗Ａ〜Ｃそれぞれにおいて本システム１００が利用可能な場合を想定しているが、店舗数はいくつであってもよい。
【００３４】
図４は、製品管理データと商品コードとが対応付けされた製品管理コード対応データが登録された製品管理コード対応データ設定テーブルの例を示す説明図である。製品管理コード対応データは、発行した製品管理コードと、製品管理コードを付与した商品あるいは商品の種類を特定可能な商品コードとが対応付けされたデータである。製品管理コード対応データ設定テーブルは、管理サーバＤＢ１１に格納されている。
【００３５】
次に、本例の工場識別情報管理システム１００の動作について説明する。
図５は、本例の工場識別情報管理システム１００における工場識別情報管理処理の例を示すフローチャートである。ここでは、製造工場Ｐから商品Ｑが店舗Ａに入荷したときの処理について説明する。なお、製造工場Ｐにおいて、工場識別情報管理サーバ１０によって発行された製品管理コードと、工場識別情報と、製造日とが商品Ｑに付与されているものとする。また、商品Ｑに付与された製品管理コードと、商品Ｑあるいは商品Ｑの種類を特定可能な商品コードとが、製品管理コード対応データに登録されているものとする。
【００３６】
工場識別情報管理処理において、先ず、コードリーダ３０は、例えば店舗Ａの店員の操作に応じて、製造工場Ｐから入荷した商品Ｑに付されている製品管理コードを読み取る。店舗サーバ２０は、例えばバーコードリーダ等のコードリーダ３０が読み取った製品管理コードを取得する（ステップＳ１０１）。製品管理コードは、例えば工場識別情報の前あるいは後に付されているものとする。そして、店舗サーバ２０は、取得した製品管理コードを工場識別情報管理サーバ１０に送信する（ステップＳ１０２）。
【００３７】
工場識別情報管理サーバ１０は、製品管理コードを受信すると、管理サーバＤＢ１１に格納されているマスタ登録工場識別情報対応データテーブルを参照して、受信した製品管理コードに対応付けされている店舗Ａマスタ登録工場識別情報を検索する（ステップＳ１０３）。そして、工場識別情報管理サーバ１０は、検索した店舗Ａマスタ登録工場識別情報を店舗サーバ２０に送信する（ステップＳ１０４）。
【００３８】
なお、このとき、製造管理コードが製造日に対応付けされていない場合は、製造日を検索条件として別途追加するようにしてもよい。この場合、製品管理コード対応データに、製品管理コードに対応付けして製造日を登録しておくようにすればよい。このようにすれば、検索をドリルダウンによって早くすることが可能となる。
【００３９】
店舗Ａマスタ登録工場識別情報を受信すると、店舗サーバ２０は、取引工場管理データテーブル（図２参照）を用いて、受信した店舗Ａマスタ登録工場識別情報に対応付けされているインストア工場識別情報を特定する（ステップＳ１０５）。
【００４０】
そして、店舗サーバ２０は、特定したインストア工場識別情報に対応付けて、入荷した商品に係る情報（入荷情報）を管理する（ステップＳ１０６）。
【００４１】
上記のようにして、店舗Ａにおいて、工場識別情報が認識されていない場合であっても、入荷された商品Ｑが製造工場Ｐで製造されたものであることが特定されるとともに、ステップＳ１０５にて特定されたインストア工場識別情報に対応付けされた入荷情報が管理されるので、製造工場Ｐで製造された商品であるとして入荷管理を行うことが可能となる。
【００４２】
以上に説明したように、上述した一実施の形態では、商品の販売を行う店舗が管理する店舗サーバ２０が、入荷した商品に付与されている製品管理コードを取得し、取得した製品管理コードを通信ネットワーク５０を介して送信し、その後に受信したマスタ登録工場識別情報に対応付けされているインストア工場識別情報を特定し、特定したインストア工場識別情報に対応付けした入荷した商品に係る入荷情報を管理する処理を行い、商品が製造された製造工場を特定可能な工場識別情報を管理する工場識別情報管理サーバ１０が、受信した製品管理コードに対応付けされているマスタ登録工場識別情報を検索し、検索したマスタ登録工場識別情報を通信ネットワーク５０を介して店舗サーバ２０に送信する構成としたので、商品に付与された製造工場特定用のコードの関連性を的確に把握することができ、小売あるいは消費者からも、製造工場を容易かつ正確に特定することができるようになる。
【００４３】
なお、上述したように、インストア工場識別情報は、店舗内で用いられるインストアコード若しくはＪＡＮコードであり、マスタ登録工場識別情報は、工場識別情報管理サーバ側に登録されているマスタコードである。
【００４４】
また、上述したように、製品管理コードは、工場識別情報管理サーバにより商品別に当該商品の製造日あるいは製造ロット毎に一意に定められたコードであり、該当する商品を製造する製造工場において商品に付与されるコードである。
【００４５】
また、上述した実施の形態では、工場識別情報管理サーバ１０が、製品管理コードを発行し、発行した製品管理コードと、その製品管理コードが付与された商品を示す商品コードと製造日あるいは製造ロットを対応付けして登録するようにしているので、製品管理コードからマスタ登録工場識別情報を特定可能となる。
【００４６】
なお、上述した実施の形態では特に言及していないが、インストア工場識別情報などの各種の情報を、消費者からのパーソナルコンピュータや携帯通信端末などの消費者端末を使用した検索要求に応じて提供するようにしてもよい。
【産業上の利用可能性】
【００４７】
本発明によれば、商品に付与された製造工場特定用のコードの関連性を的確に把握することができ、製造工場を容易かつ正確に特定するのに有用である。
【図面の簡単な説明】
【００４８】
【図１】本発明の一実施の形態に係る工場識別情報管理システムの構成の例を示すブロック図である。
【図２】取引工場管理データが登録された取引工場管理データテーブルの例を示す説明図である。
【図３】マスタ登録工場識別情報対応データが登録されたマスタ登録工場識別情報対応データテーブルの例を示す説明図である。
【図４】製品管理コード対応データ設定テーブルの例を示す説明図である。
【図５】工場識別情報管理処理の例を示すフローチャートである。
【符号の説明】
【００４９】
１０        工場識別情報管理サーバ
１１        管理サーバＤＢ
２０        店舗サーバ
３０        コードリーダ
４０，５０  通信ネットワーク
６０        商品製造工場サーバ
１００      工場識別情報管理システム
【図１】
0004836669.tif 000002
【図２】
0004836669.tif 000003
【図３】
0004836669.tif 000004
【図４】
0004836669.tif 000005
【図５】
0004836669.tif 000006